(57)【特許請求の範囲】
【請求項１】
概略弓型形状で長尺なビーム部とその両端の脚部が一体成形された押出成形体からなり、前記脚部底面側にネジ、ナットなどの車両取付け手段が装着される脚固定部材を固定すると共に、車両ルーフへの取付け状態において、前記脚部の車両幅方向外側付近を、前記押出成形体と一体成形された鍔状の押出片からなるカバー部で車両ルーフ側に密着する形で覆い、前記鍔状の押出片における基端部の内側と前記ビーム部の底面側縁部との間に隙間が形成されるように凹み部が長手方向に押出し成形されていることを特徴とする車両用ルーフレール。
【請求項２】
概略弓型形状で長尺なビーム部とその両端の脚部が一体成形された押出成形体からなり、前記脚部底面側にネジ、ナットなどの車両取付け手段が装着される脚固定部材を固定すると共に、車両ルーフへの取付け状態において、前記ビーム部及び両脚部の車両幅方向外側の全長又はその適宜箇所を、前記押出成形体と一体成形された鍔状の押出片からなるカバー部で車両ルーフ側に密着する形で覆い、前記鍔状の押出片における基端部の内側と前記ビーム部の底面側縁部との間に隙間が形成されるように凹み部が長手方向に押出し成形されていることを特徴とする車両用ルーフレール。
【請求項３】
前記脚固定部材をネジ、ナットの固定具により前記脚部側に固定する一方、前記脚固定部材にはネジ、ナットなどの車両取付け手段が装着されていて、車両ルーフへの取付け時、前記車両取付け手段に対して車両の内側から取り付けるようにしたことを特徴とする請求項１又は２記載の車両用ルーフレール。
【請求項４】
前記脚固定部材をネジ、ナットの固定具により前記脚部側に固定する一方、前記脚固定部材にはネジ、ナットなどの車両取付け手段が装着されると共に、前記脚部の上面側に作業用の開口部とその蓋片が設けられていて、車両ルーフへの取付け時、前記取付け手段に対して車両の外側から取り付けるようにしたことを特徴とする請求項１又は２記載の車両用ルーフレール。
【請求項５】
前記脚固定部材側と前記脚部側の互いに当接する両面側に、相互に嵌合にある突起、又は嵌合穴を設けたことを特徴とする請求項１、２、３又は４記載の車両用ルーフレール。
【請求項６】
長尺なビーム部と鍔状の押出片を押出成形体として一体成形し、所定の長さに切断した後、前記ビーム部の両端を同方向に曲げ形成して脚部とし、その全体を概略弓型形状とする一方、前記脚部の底面側を車両ルーフの取付け面に対応させて切断すると共に、前記鍔状の押出片を前記脚部の車両幅方向外側付近のみを残して除去して、カバー部とし、前記鍔状の押出片における基端部の内側と前記ビーム部の底面側縁部との間に隙間が形成されるように凹み部を長手方向に押出し成形することを特徴とする車両用ルーフレールの製造方法。
【請求項７】
長尺なビーム部と鍔状の押出片を押出成形体として一体成形し、所定の長さに切断した後、前記ビーム部の両端を同方向に湾曲状に曲げて形成して脚部とし、その全体を概略弓型形状とする一方、前記脚部の底面側を車両ルーフの取付け面に対応させて切断すると共に、前記鍔状の押出片を前記ビーム部及び両脚部の車両幅方向外側の全長を残して、又はその適宜箇所を残して除去して、カバー部とし、前記鍔状の押出片における基端部の内側と前記ビーム部の底面側縁部との間に隙間が形成されるように凹み部を長手方向に押出し成形することを特徴とする車両用ルーフレールの製造方法。
【発明の詳細な説明】
【技術分野】
【０００１】
本発明は、金属材料（アルミニウム）などの押出成形体からなる車両用ルーフレール及びその製造方法に関するものである。
【背景技術】
【０００２】
車両用ルーフレールは、主にワゴン車やオフロード車に取り付けられ、既に種々の構造のものが提案されている。例えば、車両ルーフの前後方向の両外寄りの縁部に取り付けられる２本のレール部材からなる車両用ルーフレールの場合、通常車両の前後方向に延びる長尺なビーム部（通常角パイプ形状などの棒状部）と、この両端に取り付けられた両脚部（車両ルーフへの取付け部）などで構成されている。
【０００３】
このような構造の車両用ルーフレールにおいて、ビーム部と脚部が別々の部材からなる場合、これら両者を連結させる必要がある。このため、連結部分の構造が複雑となり、製造が面倒で、コストアップ原因となっている。それにも増して、ビーム部と脚部が別々の部材からると、両者間に微妙な段差ができたり、また、色彩上（金属色などの）の微妙な差異が生じたりするなどの問題があって、商品価値を大きく棄損する懸念があった。
といのうは、近年のワゴン車やオフロード車において、車両用ルーフレールは、本来の機能、即ち荷物積載機能にも増して、ファション的な要素が強く、この傾向は益々大きくなってきている。このため、車両用ルーフレールでは、外観上の見栄え、即ち綺麗な仕上がりが極めて重要で、商品価値を大きく左右する状況となっている。
【０００４】
このため、従来にあっても、車両用ルーフレールの一部には、ビーム部と脚部とを一体的に成形した後、後加工により所望の形状に仕上げるもの（特許文献１）や、ビーム部を脚部を含めた形で一体的に成形した後、補助的な脚（支持部材）でビーム部を支持するもの（特許文献２）などが提案されている。
【特許文献１】特開２００１−１５８３０４号公報
【特許文献２】特開平０７−３１５１３５号公報
【発明の開示】
【発明が解決しようとする課題】
【０００５】
ところが、特許文献１のものでは、ビーム部と脚部間に一体感のある外観上綺麗な仕上がりのものが得られる反面、後加工による脚部などの形状成形（膨出形状など）などが大変で、作業性が悪いなどの問題があった。特殊な形状成形には、特殊な加工装置や工具などが必要されるという問題もあった。これらのことから、コストダウンは困難なものと言える。一方、特許文献２の場合、補助的な脚部分が小構造部品で目立つ難いという面があるものの、基本的にビーム部とは別部品として外部に露出しているため、上述した問題、即ち、ビーム部と補助脚部分に微妙な段差ができたり、また、色彩上微妙な差異が生じるなどの問題は解消されず、外観上の綺麗な仕上がりには限界があった。
【０００６】
そこで、本発明者等は、鋭意検討した結果、アルミニウムなどの金属材料を用いて、車両用ルーフレールの本体をなす、長尺なビーム部を押出成形する際、ビーム部と一体的に鍔状の押出片も併せて押出成形したところ、その後の簡単な加工により、ビーム部と脚部間に良好な一体感を持たせることができ、また、押出片が目隠用のカバー部として、又は種々の意模様や形状の適宜施せる部分として利用することができることが分かり、さらに、コスト的にも、外観的にも優れた車両用ルーフレールが得られることを見い出し、出願した（特願２００６−０４７９７９）。
【０００７】
そして、実際の製造において、概略弓型形状で長尺なビーム部とその両端の脚部が一体成形された押出成形体を用い、これと一体成形された鍔状の押出片を除去（切断）して、カバー部を残す場合、次のような改善すべき余地が見い出された。
【０００８】
例えば、図２（Ｃ）〜（Ｄ）に示すように、押出成形体１００の鍔状の押出片１３０を除去（切断）して、脚部１２０のカバー部１３１を形成する場合、鍔状の押出片１３０の除去は、ビーム部１１０の底面側に沿って綺麗な形で行われる必要がある。
ところが、この押出成形体１００では、その押出成形という特性から、寸法的に長手方向に多少歪んだり、捻じれたりしていることがある。この状況下で、プレス機やフライス盤による切断を行うと、例えば図２２（Ａ）〜（Ｃ）に示すように、あるところは、押出片１３０がビーム部１１０の底面側１１０ａとほぼ水平（面一）に切断されるものの〔図２２（Ａ）〕、場所（部位）によっては、押出片１３０の切断部が、凸状に残ったり〔図２２（Ｂ）〕、凹み状に底面側１１０ａに食い込むということがあった。また、押出片１３０がビーム部１１０の底面側１１０ａと面一に切断されている部分にあっても、詳しく観察すると、押出片１３０の切断部が延長する形で、ビーム部１２０の底面側１１０ａの縁部に擦れ跡が残るということがあった。
【０００９】
車両用ルーフレールというのは、外観が重要な極めてファション（意匠）性に富む（高い）装備品であるため、上記のような状況が生じると、商品価値が著しく低下し、不良品（不合格品）となることもある。
【００１０】
本発明は、この観点に立ってなされたものであり、基本的には、ビーム部（脚部を含む）と一緒に鍔状の押出片も併せて押出成形し、これに簡単な後加工を施すことにより、低コストで、かつ、ビーム部と脚部間に段差や色彩上の差異などが発生することがないことや、さらには、押出成形体の鍔状の押出片部分において、その基端部の内側に適宜形状の凹み部（凹溝）を設けることにより、押出片切断部における、良品許容性の拡大機能、製造時の作業向上機能を持たせた、優れた車両用ルーフレール及びその製造方法を提供するものである。
【課題を解決するための手段】
【００１１】
請求項１記載の本発明は、概略弓型形状で長尺なビーム部とその両端の脚部が一体成形された押出成形体からなり、前記脚部底面側にネジ、ナットなどの車両取付け手段が装着される脚固定部材を固定すると共に、車両ルーフへの取付け状態において、前記脚部の車両幅方向外側付近を、前記押出成形体と一体成形された鍔状の押出片からなるカバー部で車両ルーフ側に密着する形で覆い、前記鍔状の押出片における基端部の内側と前記ビーム部の底面側縁部との間に隙間が形成されるように凹み部が長手方向に押出し成形されていることを特徴とする車両用ルーフレールにある。
【００１２】
請求項２記載の本発明は、概略弓型形状で長尺なビーム部とその両端の脚部が一体成形された押出成形体からなり、前記脚部底面側にネジ、ナットなどの車両取付け手段が装着される脚固定部材を固定すると共に、車両ルーフへの取付け状態において、前記ビーム部及び両脚部の車両幅方向外側の全長又はその適宜箇所を、前記押出成形体と一体成形された鍔状の押出片からなるカバー部で車両ルーフ側に密着する形で覆い、前記鍔状の押出片における基端部の内側と前記ビーム部の底面側縁部との間に隙間が形成されるように凹み部が長手方向に押出し成形されていることを特徴とする車両用ルーフレールにある。
【００１３】
請求項３記載の本発明は、前記脚固定部材をネジ、ナットの固定具により前記脚部側に固定する一方、前記脚固定部材にはネジ、ナットなどの車両取付け手段が装着されていて、車両ルーフへの取付け時、前記車両取付け手段に対して車両の内側から取り付けるようにしたことを特徴とする請求項１又は２記載の車両用ルーフレールにある。
【００１４】
請求項４記載の本発明は、前記脚固定部材をネジ、ナットの固定具により前記脚部側に固定する一方、前記脚固定部材にはネジ、ナットなどの車両取付け手段が装着されると共に、前記脚部の上面側に作業用の開口部とその蓋片が設けられていて、車両ルーフへの取付け時、前記取付け手段に対して車両の外側から取り付けるようにしたことを特徴とする請求項１又は２記載の車両用ルーフレールにある。
【００１５】
請求項５記載の本発明は、前記脚固定部材側と前記脚部側の互いに当接する両面側に、相互に嵌合にある突起、又は嵌合穴を設けたことを特徴とする請求項１、２、３又は４記載の車両用ルーフレール。にある。
【００１６】
請求項６記載の本発明は、長尺なビーム部と鍔状の押出片を押出成形体として一体成形し、所定の長さに切断した後、前記ビーム部の両端を同方向に曲げ形成して脚部とし、その全体を概略弓型形状とする一方、前記脚部の底面側を車両ルーフの取付け面に対応させて切断すると共に、前記鍔状の押出片を前記脚部の車両幅方向外側付近のみを残して除去して、カバー部とし、前記鍔状の押出片における基端部の内側と前記ビーム部の底面側縁部との間に隙間が形成されるように凹み部を長手方向に押出し成形することを特徴とする車両用ルーフレールの製造方法にある。
【００１７】
請求項７記載の本発明は、長尺なビーム部と鍔状の押出片を押出成形体として一体成形し、所定の長さに切断した後、前記ビーム部の両端を同方向に湾曲状に曲げて形成して脚部とし、その全体を概略弓型形状とする一方、前記脚部の底面側を車両ルーフの取付け面に対応させて切断すると共に、前記鍔状の押出片を前記ビーム部及び両脚部の車両幅方向外側の全長を残して、又はその適宜箇所を残して除去して、カバー部とし、前記鍔状の押出片における基端部の内側と前記ビーム部の底面側縁部との間に隙間が形成されるように凹み部を長手方向に押出し成形することを特徴とする車両用ルーフレールの製造方法にある。
【発明の効果】
【００２１】
（１）本発明に係る請求項１、又は請求項２の車両用ルーフレールでは、概略弓型形状で長尺なビーム部とその両端の脚部が一体成形された押出成形体からなり、車両ルーフには、脚部底面側の脚固定部材に装着されたネジ、ナットなどの車両取付け手段で取り付けられ、脚部のルーフ外側付近は、又は、ビーム部及び両脚部のルーフ外側の全長又はその適宜箇所は、鍔状の押出片からなるカバー部で覆われるため、先ず、ビーム部と脚部間では、連結部分が全くなく、完全かつ綺麗な一体感が得られる。つまり、綺麗な仕上がりが得られる。勿論、ビーム部と脚部間に、微妙な段差や色彩上（金属色などの）の微妙な差異が生じることもない。また、ルーフレールの外部から目に付き易い外側にあっては、鍔状の押出片のカバー部が、車両ルーフ側に密着する形で覆うことができるため、車両ルーフ側との間でも、一体感を持った綺麗な仕上がりが得られる。従って、大きな商品価値の向上が期待できる。
また、この車両用ルーフレールでは、鍔状の押出片における基端部の内側とビーム部の底面側縁部との間に凹み部が押し出し成形されているため、この凹み部が、押出片の切断部（除去部）において、後述するように、凸状の段差や凹み状の食い込みがあっても、この不良状態が目立たなくなる機能が得られる。つまり、良品許容性の拡大機能が得られる。
【００２２】
（２）本発明に係る請求項３の車両用ルーフレールでは、車両ルーフへの取付け時、車両取付け手段に対して、車両の内側から、例えばナットなどの固定具を用いることにより、簡単に取り付けることができる。
【００２３】
（３）本発明に係る請求項４の車両用ルーフレールでは、車両ルーフへの取付け時、車両取付け手段に対して、車両の外側から、例えばネジボルトなどの固定具を用いることにより、簡単に取り付けることができる。車両外側からの取り付けの場合、車内の内装処理後においても行える利点がある。
【００２４】
（４）本発明に係る請求項５の車両用ルーフレールでは、相互に嵌合にある突起、又は嵌合穴を設けることにより、脚固定部材側と脚部側との固定状態をより安定かつ確実なものとすることができる。
【００２５】
（５）本発明に係る請求項６、又は請求項７の車両用ルーフレールの製造方法では、ビーム部、脚部、及び鍔状の押出片の一体成形、所定の長さでの切断、脚部の曲げ形成、脚部の底面側の車両ルーフの取付け面に対応させた切断、鍔状の押出片によるカバー部の形成により、簡単、かつ、低コストで、優れた車両用ルーフレールを製造することができる。
また、この車両用ルーフレールの製造方法では、用いる押出成形体において、鍔状の押出片における基端部の内側とビーム部の底面側縁部との間に凹み部が押し出し成形されているため、押出片の切断時、後述するように、凸状の段差や凹み状の食い込み、擦れ跡の発生をあまり気にすることなく、作業することができる。つまり、迅速な製造が可能となり、作業向上機能が得られる。
【発明を実施するための最良の形態】
【００２８】
図１は、本発明に係る車両用ルーフレールの一態様を示したものである。
この車両用ルーフレール１００Ａは、全体が概略弓型形状で、レール本体をなす長尺なビーム部１１０とその両端の脚部１２０とこの脚部１２０の一方の側（通常ルーフ外側）を覆うカバー部１３１と脚部底面側に固定されてネジ、ナットなどの車両取付け手段１５１が装着される脚固定部材１４０を有してなる。
【００２９】
この車両用ルーフレール１００Ａは、その製造にあたっては、先ず、図２（Ａ）に示すように、アルミニウムやその合金などの金属材料（硬質樹脂材料も可）を押出成形して、例えば、概略台形状の長尺な押出成形体１００を得る。このとき、長尺なビーム部１１０と一緒に、鍔状の押出片１３０をビーム部１１０の長手方向に沿って一体成形する。なお、ビーム部１１０の形状は通常角パイプ形状の筒体構造とするが、丸パイプ形状の筒体構造や枠体構造とすることもできる。また、押出片１３０はルーフ外側のみに限らず、ルーフ内側にも設けることは可能である。さらには、これらの他に適宜箇所に追加することも可能である。これらの押出片の幅は適宜調整することができる。
【００３０】
この後、図２（Ｂ）に示すように、所定の長さ（少なくともレール１本分相当の長さ）に切断し、ビーム部１１０の両端を同方向に湾曲状に曲げ形成して脚部１２０とする。このとき、必要により、ビーム部１１０部分も少々脚部１２０に揃えて、上側に少々膨らます形で湾曲させることができる。これにより、全体として、綺麗な形の概略弓型形状が得られる。勿論、これらの脚部１２０やビーム部１１０の曲げ幅は適宜調整することができる。
【００３１】
次に、図２（Ｃ）に示すように、脚部１２０の底面側１２０ａを、車両ルーフの取付け面（屋根表面）に対応させて、例えばほぼ水平に切断する。なお、この切断箇所によっては、図２（Ｂ）の前工程で切断された所定の長さの押出成形体１００が少々短くなる場合がある。この後、図２（Ｄ）に示すように、鍔状の押出片１３０を、脚部１２０のルーフ外側付近（ルーフレールを押出片１３０側外側として取り付け場合）のみを残して除去する。これにより、狭小な円弧状（三日月形状）の小片からなるカバー部１３１が得られる。この結果、図３に示すように、ビーム部１１０部分の押出片１３０は殆どなくなり、脚部１２０部分の押出片１３０は、図４に示すように、カバー部１３１として残る。カバー部１３１の底面１３１ａは、車両ルーフの取付け面に合わせて切断してあるため、取付け時には、車両ルーフに丁度よく、密着されることになる。
【００３２】
このようにして得られた押出成形体の脚部１２０の底面側に脚固定部材１４０を固定したのが、上記図１の車両用ルーフレール１００Ａである。脚固定部材１４０の固定構造は、脚部１２０の左右が対称構造からなり、拡大すると、図５〜図７の如くである。
【００３３】
脚固定部材１４０は、金属ブロックや硬質樹脂ブロックからなり、丁度脚部１２０の底面側の空スペース部分（切断開口部）に嵌め込まれる構造となっている。図５から明らかなように、この脚固定部材１４０には、車内ルーフへの取付け時必要となる、ネジ（ネジ相当部材も可）である２本（１本や２本以上も可）の車両取付け手段１５１が装着してある。車両取付け手段１５１はナット（ナット相当部材も可）とすることも可能である。そのときは、車両側の被取付け手段としてネジやネジ相当部材を用いればよい。さらに、脚固定部材１４０側の肉厚部分に直接雌ネジのナット構造を形成してあってもよい。
【００３４】
この脚固定部材１４０の脚部１２０側への固定は、特に限定されないが、図示の場合、カシメナット１６１とネジ１６２からなる固定具１６０により行われる。具体的には、脚部１２０の底面側（押出成形体の底面側フレーム部分）に取付け穴１２１を開け、これにカシメナット１６１とネジ１６２を嵌め込み、ネジ１６２を締めつければ、カシメナット１６１が潰れて取付け穴１２１に簡単かつ強固に固定できる。
【００３５】
そして、脚固定部材１４０に予め装着された車両取付け手段１５１のネジを、車両ルーフの取付け穴（図示省略）に外側から嵌め込み、車両の内側から、ナットやナット相当部材（図示省略）を装着すれば、目的とする上記車両用ルーフレール１００Ａを取り付けることができる。この取付け状態において、脚固定部材１４０の底面、及びカバー部１３１の底面１３１ａ側が、車両ルーフに密着して当接するため、安定かつ強固な取付け状態が得られる。特にカバー部１３１の底面１３１ａ側は、長い範囲で車両ルーフに密着するため、取付け状態の安定性に大きく寄与させることができる。つまり、補強効果が得られる。また、カバー部１３１の底面１３１ａ側は、ルーフ外側に位置して車両ルーフに密着するため、脚固定部材１４０に対する目隠し効果を得られる。さらに、図７（底面側からの図）から明らかなように、カバー部１３１は少々外側に膨らむ形状であるため、脚部１２０に対する視覚的な安定性向上効果も得られる。勿論、上記したように、ビーム部１１０と脚部１２０間では、連結部分が全くなく、完全かつ綺麗な一体感が得られる。つまり、綺麗な仕上がりが得られる。
【００３６】
上記の場合、車両用ルーフレール１００Ａの取付けを、車両の内側から対応する必要がある。車両工場での生産ライン段階では、特に問題ないが、工程の手順（順序）として車両天井の内装処理の完了後は対応できないという制約が生じる。また、車両天井側の他の部材との関係で、作業工具などの作業スペースが確保できない場合にも対応できないという制約が生じる懸念がある。
【００３７】
このため、本発明では、他の態様として、車両の外側からの作業が可能なように、図８〜図１１に示した如く、脚部１２０の上面側（押出成形体の上面側フレーム部分）に作業用の開口部１２２とその蓋片（キャップ）１７０を設けたものを提供する。
【００３８】
この態様では、少なくとも１個（１組み）のカシメナット１６１とネジ１６２からなる固定具１６０を用いて、脚固定部材１４０を脚部１２０の底面側（押出成形体の底面側フレーム部分）の取付け穴１２１に嵌め込み、ネジ１６２を締めつけて固定する。
他の固定具１６０ａ、及び車両取付け手段１５１にあっては、蓋片１７０を外して、作業用の開口部１２２から行う。なお、他の固定具１６０ａのネジにあっては、脚固定部材１４０側に予め形成した雌ネジのナット構造部に固定するか、或いは、ナット（図示省略）に固定する。さらに、この固定具１６０ａもカシメナット１６１とネジ１６２からなるものとすることも可能である。
【００３９】
蓋片１７０の着脱は、脚部１２０の上面側（押出成形体の上面側フレーム部分）の内側に、例えば、概略Ｌ字型などの係合用の２本の平行レール片１２３と、これらの丁度開口部１２２の四隅に取り付けられた蓋受け部材１７１と、蓋片１７０の裏側に設けた着脱パネ片１７２により、簡単かつ迅速に行われるようになっている。
【００４０】
平行レール片１２３は、押出成形体の押出成形時、同時成形することができる。蓋受け部材１７１には、平行レール片１２３に嵌合される嵌合溝１７１ａが設けてあって、平行レール片１２３にはスライド方式で嵌合されようになっている。所定の位置では、両面接着テープなどで止めるとよい。蓋片１７０の着脱パネ片１７２は、蓋片１７０を開口部１２２に嵌め込む際、左右の鉤状の弾性可動部１７２ａ、１７２ａ間の間隔が圧入により縮小して開口部１２２を通過し、その後、復元して開口部１２２の内側縁部に当接することにより、蓋片１７０を保持するようになっている。なお、蓋片１７０の取り外し時には、開口部１２２との隙間に薄いナイフ状の工具を挿入し、工具の梃子作用を利用して、着脱パネ片１７２の抗力に打ち勝つ形で取り外しせばよい。
【００４１】
上記脚固定部材１４０の固定において、より良好な固定の安定性を確保するには、図１２や図１３に示すように、脚固定部材１４０側と脚部側の底面側（押出成形体の底面側フレーム部分）の互いに当接する両面側に、相互に嵌合にある突起１４１（係合機能を有する突起状のものも含む）やその嵌合穴１２４（嵌合機能を有する溝状などのものも含む）を設けるとよい。突起１４１の数は２個に限らず、２個以上や１個でもよい。なお、図示とは逆に、突起（突起状のもの）と嵌合穴（溝状などのもの）の設ける側を反対にすることもできる。
【００４２】
図１４は、本発明に係る車両用ルーフレールの他の態様を示したものである。
この車両用ルーフレール１００Ｂも、基本的には、上記車両用ルーフレール１００Ａとほぼ同様であるが、カバー部１３２を長くして、ビーム部１１０及び両脚部１２０のルーフ外側の全長を覆う構造としてある。この場合、カバー部１３２の底面１３２ａ側は、極めて長い、ルーフレールの全長に渡って車両ルーフに密着するため、極めて大きな補強効果が得られる。また、ルーフレールの全長に渡って隙間なく密着するため、車両ルーフに対して極めて良好な一体感が得られる。なお、車両ルーフへの取付け構造は、車両用ルーフレール１００Ａと全く同様であり、車両の内外からできるものとする。
【００４３】
この車両用ルーフレール１００Ｂの製造方法も、基本的には、上記車両用ルーフレール１００Ａとほぼ同様であるが、図１５に示すように、押出成形体１００と一体成形された鍔状の押出片１３０の幅を大きく形成して、両脚部１２０の切断時、押出片１３０の全長が残るようにすればよい。
【００４４】
鍔状の押出片１３０は、上記のように全長に渡って残す他に、例えば、図１６〜図１９に示す車両用ルーフレール１００Ｃ〜Ｆのように、適宜長さにして、ビーム部及び両脚部のルーフ外側の適宜箇所を覆うカバー部１３３〜１３６とすることもできる。
図１６では、ビーム部１１０の中央部分の内側にも、上記したような脚固定部材１４０を設け、この部分をカバー部１３３で覆うようにした場合である。ルーフレール長さが長いときや、さらには、取付け強度を強化して、より大きな荷物積載機能を得る場合において有効である。図１７〜図１９の場合は、カバー部１３４自体を意匠形状としたり、カバー部１３５〜１３６部分に別の意匠形状を施したものである。これにより、比較的簡単に従来にない意匠構造を得ることができる。これは形状が複雑であるため、特別仕様車用や後付け用特注品として対応するとよい。勿論、これらのカバー部でも、その底面側が車両ルーフ側に密着されていれば、良好な補強効果が得られる。また、このように押出片１３０の長さを適宜長さにして部分的な形成した場合、開いた部分（開口部）をロープ掛け用の穴などとして利用することができる。
【００４５】
なお、上記の説明では、車両の前後方向に取り付けられる車両用ルーフレールであったが、本発明は、勿論これに限定されず、車両の幅方向に取り付けられるものにも適用することができる。また、作業用の開口部と蓋片を有する車両の外側から対応する車両用ルーフレールにおける、蓋片の着脱や保持手段は、上記説明のものに限定されない。
【００４６】
図２０は、本発明に係る車両用ルーフレールの他の態様を示したものである。
この車両用ルーフレール１００Ｆの場合、その全体構造は、上記した車両用ルーフレール１００Ａ〜Ｅのものとほぼ同様のものであるが、鍔状の押出片１３０における基端部１３０ａの内側と、ビーム部１１０の底面側１１０ａにおける縁部１１０ｂとの間に凹み部（凹溝）１１０ｃが長手方向に押し出し成形されてなる。
【００４７】
この凹み部１１０ｃの形状は、特に限定されず、押出片１３０の基端部１３０ａ側を切断したとき、その切断部とビーム部１１０の底面側１１０ａ側との間に適当な間隔（スペース）Ｓができる形状であればよい。ルーフレールの機種によっても異なるが、通常この間隔Ｓは４〜６ｍｍ程度あればよい。
【００４８】
このような間隔Ｓが形成されていると、ルーフレールの製造時、鍔状の押出片１３０を切断した際、例えば図２１に示すように、基準面（ビーム部１１０の底面側１１０ａ側とほぼ面一となる水平な基準寸法面）Ｌ０に対して、少々凸状に突出した切断面Ｌ１となったり、或いは少々凹んで食い込んだ切断面Ｌ２となっていても、これらの凹凸が、基準面の寸法値に対して、±２．０ｍｍ以内であれば、観察者（車両デーラーやユーザーなど）が視覚的に段差などとして認識し難いということが起る。つまり、多少の段差などは許容範囲内に納まることになる。言い換えれば、多少の段差などがあっても、良品としての取り扱いが可能となり、良品許容性の拡大機能が得られる。
【００４９】
また、このような点は、製造作業の面から捉えれば、凸状の段差や凹み状の食い込み、擦れ跡の発生などをあまり気にすることなく、作業することができることになる。つまり、迅速な製造が可能となり、作業性が向上するという、作業向上機能が得られる。
【図面の簡単な説明】
【００５０】
【図１】本発明に係る車両用ルーフレールの一態様を示した縦断面図である。
【図２】（Ａ）〜（Ｄ）  図１の車両用ルーフレールの製造方法の一例を示した工程図である。
【図３】本発明に係る車両用ルーフレールのビーム部の縦断面図である。
【図４】本発明に係る車両用ルーフレールの脚部の縦断面図である。
【図５】図１の車両用ルーフレールの脚部における脚固定部材の固定状態を示した縦断面図である。
【図６】図５の車両用ルーフレールの脚部における脚固定部材の固定状態を示したルーフ外側からの側面図である。
【図７】図５の車両用ルーフレールの脚部における脚固定部材の固定状態を示した底面図である。
【図８】図１の車両用ルーフレールの脚部における脚固定部材の他の固定状態を示した縦断面図である。
【図９】図８の車両用ルーフレールの脚部における作業用の開口部とその蓋片の状態を示した縦断面図である。
【図１０】図８の車両用ルーフレールの脚部における作業用の開口部とその蓋片の状態を示した縦断面図である。
【図１１】図８の車両用ルーフレールの脚部における作業用の開口部とその蓋片の状態を示した平面図である。
【図１２】図１の車両用ルーフレールの脚部における脚固定部材の他の固定状態を示した縦断面図である。
【図１３】図１の車両用ルーフレールの脚部における脚固定部材の他の固定状態を示した縦断面図である。
【図１４】本発明に係る車両用ルーフレールの他の態様を示した縦断面図である。
【図１５】図１４の車両用ルーフレールの製造方法の一例を示した工程図である。
【図１６】本発明に係る車両用ルーフレールの他の態様を示した縦断面図である。
【図１７】本発明に係る車両用ルーフレールの他の態様を示した縦断面図である。
【図１８】本発明に係る車両用ルーフレールの他の態様を示した縦断面図である。
【図１９】本発明に係る車両用ルーフレールの他の態様を示した縦断面図である。
【図２０】本発明に係る車両用ルーフレールの他の態様を示した拡大縦断面図である。
【図２１】図２０車両用ルーフレールにおける鍔状の押出片の切断部を示した部分拡大縦断面図である。
【図２２】（Ａ）〜（Ｃ）  本発明に係る車両用ルーフレールにおける鍔状の押出片の切断状況を示した部分縦断面図である。
【符号の説明】
【００５１】
１００Ａ〜Ｆ・・・車両用ルーフレール、１００・・・押出成形体、１１０・・・ビーム部、１１０ａ・・・ビーム部の底面側、１１０ｂ・・・ビーム部の底面側縁部、１１０ｃ・・・凹み部、１２０・・・脚部、１２１・・・取付け穴、１２２・・・作業用の開口部、１２３・・・平行レール片、１２４・・・嵌合穴、１３０・・・鍔状の押出片、１３０ａ・・・押出片の基端部、１３０ｂ・・・押出片の切断面、１３１〜１３６・・・カバー部、１４０・・・脚固定部材、１４１・・・突起、１５１・・・車両取付け手段、１６０・・・固定具、１６１・・・カシメナット、１６２・・・ネジ、１７０・・・蓋片、１７１・・・蓋受け部材、１７２・・・着脱パネ片
【図１】
0004842115.tif 000002
【図２】
0004842115.tif 000003
【図３】
0004842115.tif 000004
【図４】
0004842115.tif 000005
【図５】
0004842115.tif 000006
【図６】
0004842115.tif 000007
【図７】
0004842115.tif 000008
【図８】
0004842115.tif 000009
【図９】
0004842115.tif 000010
【図１０】
0004842115.tif 000011
【図１１】
0004842115.tif 000012
【図１２】
0004842115.tif 000013
【図１３】
0004842115.tif 000014
【図１４】
0004842115.tif 000015
【図１５】
0004842115.tif 000016
【図１６】
0004842115.tif 000017
【図１７】
0004842115.tif 000018
【図１８】
0004842115.tif 000019
【図１９】
0004842115.tif 000020
【図２０】
0004842115.tif 000021
【図２１】
0004842115.tif 000022
【図２２】
0004842115.tif 000023